(57)【要約】【課題】手間をかけずに多くの有益なアクセス情報を収集し、かつ、それらを適切なカテゴリーに分類して管理する。【解決手段】  個別のピアＩＤを生成するとともに、予め決められたカテゴリーのブックマークフォルダを作成するためのソフトウェアを提供するソフトウェア提供部３１と、端末１０−１〜１０−ｎにてソフトウェアを用いて作成されたブックマークフォルダに登録されたアクセス情報をピアＩＤとともに収集するアクセス情報収集部３２と、アクセス情報収集部３２にて収集されたアクセス情報をピアＩＤと対応づけてブックマークフォルダによって特定されるカテゴリーに分類して登録、管理するアクセス情報登録部３３と、端末１０−１〜１０−ｎにてカテゴリーが指定された場合に該カテゴリーに分類されたアクセス情報を当該端末に提供するアクセス情報提供部３４とを設ける。【選択図】図１
2005107905.tif 000002
【特許請求の範囲】
【請求項１】
インターネットに接続可能な端末と、予め決められたアクセス情報によってアクセス可能に構成され、アクセス元に対してインターネットを介してコンテンツを提供する情報提供手段と、前記アクセス情報を管理するアクセス情報管理手段とを有してなるアクセス情報管理システムにおいて、
前記アクセス情報管理手段は、
個別の識別情報を生成するとともに、予め決められたカテゴリーのブックマークフォルダを作成するためのソフトウェアを前記端末に提供するソフトウェア提供手段と、
前記端末にて前記ソフトウェアを用いて作成されたブックマークフォルダに登録されたアクセス情報を前記識別情報とともに収集するアクセス情報収集手段と、
前記アクセス情報収集手段にて収集されたアクセス情報を前記識別情報と対応づけて前記ブックマークフォルダによって特定されるカテゴリーに分類して登録、管理するアクセス情報登録手段と、
前記端末にて前記カテゴリーが指定された場合に該カテゴリーに分類されたアクセス情報を当該端末に提供するアクセス情報提供手段とを有することを特徴とするアクセス情報管理システム。
【請求項２】
請求項１に記載のアクセス情報管理システムにおいて、
前記アクセス情報登録手段は、前記アクセス情報の登録数及びその登録のタイミングを管理しておき、同一のアクセス情報の登録数が所定の数を超えた場合に、前記登録のタイミングに基づいて、前記識別情報によって識別されるソフトウェアの提供先に特典を付与することを特徴とするアクセス情報管理システム。
【請求項３】
インターネットを介してコンテンツを提供する情報提供手段に対するアクセス情報を管理するアクセス情報管理サーバであって、
インターネットに接続可能な端末に対して、個別の識別情報を生成するとともに、予め決められたカテゴリーのブックマークフォルダを作成するためのソフトウェアを提供するソフトウェア提供手段と、
前記端末にて前記ソフトウェアを用いて作成されたブックマークフォルダに登録されたアクセス情報を前記識別情報とともに収集するアクセス情報収集手段と、
前記アクセス情報収集手段にて収集されたアクセス情報を前記識別情報と対応づけて前記ブックマークフォルダによって特定されるカテゴリーに分類して登録、管理するアクセス情報登録手段と、
前記端末にて前記カテゴリーが指定された場合に該カテゴリーに分類されたアクセス情報を当該端末に提供するアクセス情報提供手段とを有することを特徴とするアクセス情報管理サーバ。
【請求項４】
請求項３に記載のアクセス情報管理サーバにおいて、
前記アクセス情報登録手段は、前記アクセス情報の登録数及びその登録のタイミングを管理しておき、同一のアクセス情報の登録数が所定の数を超えた場合に、前記登録のタイミングに基づいて、前記識別情報によって識別されるソフトウェアの提供先に特典を付与することを特徴とするアクセス情報管理サーバ。
【発明の詳細な説明】
【技術分野】
【０００１】
本発明は、インターネットを介してのアクセス情報を管理するアクセス情報管理システム及びアクセス情報管理サーバに関し、特に、ブックマークを利用したアクセス情報管理システム及びアクセス情報管理サーバに関する。
【背景技術】
【０００２】
近年、インターネットやパソコンが急速に普及し、個人が時間や場所を問わずにインターネットに接続することが容易に行われるようになってきている。また、それに伴い、インターネット上にＷｅｂページを開設し、このＷｅｂページを用いて情報を提供したり、商品等を販売したりする企業団体等が急速に増加している。そのため、このようにインターネット上に開設されたＷｅｂページは、様々な情報を収集したり、サービスを受けたりする上で便利な手段としてビジネスやプライベートで多くのユーザに利用されている。
【０００３】
このようにインターネット上に開設されたＷｅｂページを閲覧する場合、インターネットに接続可能に構成された端末にてブラウザを起動し、アクセス情報を入力する領域にＷｅｂページのＵＲＬを入力する。すると、入力されたＵＲＬによって特定されるＷｅｂページに対してインターネットを介してアクセスが行われ、アクセスしたＷｅｂページがブラウザによって端末上に表示されることになる。
【０００４】
ここで、上述したように、情報を収集したりサービスを受けたりするためにＷｅｂページを利用する場合、利用するＷｅｂページのＵＲＬを知らなければ所望のＷｅｂページにアクセスすることができない。
【０００５】
そこで、インターネット上に検索サイトを開設し、インターネット上に開設されているＷｅｂページのそれぞれをカテゴリー毎に分類しておき、端末にてカテゴリーが指定された場合に、指定されたカテゴリーに分類されたＷｅｂページのＵＲＬ等を端末上に表示させるサービスが行われている。このような検索サイトにおいては、Ｗｅｂページのカテゴリー毎の分類を、検索サイトを運営する企業団体等にて行う場合や、検索サイトにおいて、新たに開設されたＷｅｂページや更新があったＷｅｂページ等をインターネット上で情報を収集する検索ロボットというプログラムを利用して行う場合がある。
【０００６】
また、インターネットに接続可能な端末において、アクセス情報を管理するブックマーク管理サーバに対して、所望のＷｅｂページのＵＲＬ等のアクセス情報とそのアクセス情報に付与したブックマークとを登録しておき、その後、端末にて、ブックマーク管理サーバにアクセスが行われ、ブックマークが入力された場合に、入力されたブックマークに対応づけられたアクセス情報を端末上に表示させる技術が考えられている（例えば、特許文献１参照。）。
【特許文献１】特開２００３−６７３２８号公報
【発明の開示】
【発明が解決しようとする課題】
【０００７】
しかしながら、上述したように、インターネット上に検索サイトを開設し、インターネット上に開設されているＷｅｂページのそれぞれをカテゴリー毎に分類しておき、端末にてカテゴリーが指定された場合に、指定されたカテゴリーに分類されたＷｅｂページのＵＲＬ等を端末上に表示させるサービスにおいては、Ｗｅｂページのカテゴリー毎の分類を検索サイトを運営する企業団体等にて行う場合、インターネット上に開設されたＷｅｂページの内容を１つ１つ確認して分類することになるため、膨大な手間がかかってしまうという問題点がある。また、Ｗｅｂページのカテゴリー毎の分類を検索ロボットを利用して行う場合、ＷｅｂページのＵＲＬ登録が任意の名称にて行われているため、アクセス情報を適切なカテゴリーに分類できない虞れがある。
【０００８】
また、上述したようなブックマーク管理サーバを用いるものにおいては、インターネットに接続可能な端末において、所望のＷｅｂページのＵＲＬ等のアクセス情報とそのアクセス情報に付与したブックマークとをブックマーク管理サーバに登録しておかなければならないため、ユーザにとって手間がかかってしまい、多くのアクセス情報を収集することができないという問題点がある。
【０００９】
本発明は、上述したような従来の技術が有する問題点に鑑みてなされたものであって、手間をかけずに多くの有益なアクセス情報を収集し、かつ、それらを適切なカテゴリーに分類して管理することができるアクセス情報管理システム及びアクセス情報管理サーバを提供することを目的とする。
【課題を解決するための手段】
【００１０】
上記目的を達成するために本発明は、
インターネットに接続可能な端末と、予め決められたアクセス情報によってアクセス可能に構成され、アクセス元に対してインターネットを介してコンテンツを提供する情報提供手段と、前記アクセス情報を管理するアクセス情報管理手段とを有してなるアクセス情報管理システムにおいて、
前記アクセス情報管理手段は、
個別の識別情報を生成するとともに、予め決められたカテゴリーのブックマークフォルダを作成するためのソフトウェアを前記端末に提供するソフトウェア提供手段と、
前記端末にて前記ソフトウェアを用いて作成されたブックマークフォルダに登録されたアクセス情報を前記識別情報とともに収集するアクセス情報収集手段と、
前記アクセス情報収集手段にて収集されたアクセス情報を前記識別情報と対応づけて前記ブックマークフォルダによって特定されるカテゴリーに分類して登録、管理するアクセス情報登録手段と、
前記端末にて前記カテゴリーが指定された場合に該カテゴリーに分類されたアクセス情報を当該端末に提供するアクセス情報提供手段とを有することを特徴とする。
【００１１】
また、前記アクセス情報登録手段は、前記アクセス情報の登録数及びその登録のタイミングを管理しておき、同一のアクセス情報の登録数が所定の数を超えた場合に、前記登録のタイミングに基づいて、前記識別情報によって識別されるソフトウェアの提供先に特典を付与することを特徴とする。
【００１２】
また、インターネットを介してコンテンツを提供する情報提供手段に対するアクセス情報を管理するアクセス情報管理サーバであって、
インターネットに接続可能な端末に対して、個別の識別情報を生成するとともに、予め決められたカテゴリーのブックマークフォルダを作成するためのソフトウェアを提供するソフトウェア提供手段と、
前記端末にて前記ソフトウェアを用いて作成されたブックマークフォルダに登録されたアクセス情報を前記識別情報とともに収集するアクセス情報収集手段と、
前記アクセス情報収集手段にて収集されたアクセス情報を前記識別情報と対応づけて前記ブックマークフォルダによって特定されるカテゴリーに分類して登録、管理するアクセス情報登録手段と、
前記端末にて前記カテゴリーが指定された場合に該カテゴリーに分類されたアクセス情報を当該端末に提供するアクセス情報提供手段とを有することを特徴とする。
【００１３】
また、前記アクセス情報登録手段は、前記アクセス情報の登録数及びその登録のタイミングを管理しておき、同一のアクセス情報の登録数が所定の数を超えた場合に、前記登録のタイミングに基づいて、前記識別情報によって識別されるソフトウェアの提供先に特典を付与することを特徴とする。
【００１４】
上記のように構成された本発明においては、個別の識別情報を生成するとともに、予め決められたカテゴリーのブックマークフォルダを作成するためのソフトウェアが、アクセス情報管理手段のソフトウェア提供手段からインターネットに接続可能な端末に提供され、端末にインストールされると、インストールされたソフトウェアに対応して個別の識別情報が生成される。また、端末において、このソフトウェアを用いてアクセス情報管理手段にて予め決められたカテゴリーのブックマークフォルダが作成され、アクセス情報がブックマークフォルダに登録されると、ブックマークフォルダに登録されたアクセス情報は、アクセス情報管理手段のアクセス情報収集手段によって識別情報とともに収集され、アクセス情報登録手段において、収集されたアクセス情報が、ブックマークフォルダによって特定されるカテゴリーに分類され、識別情報と対応づけて登録、管理される。その後、端末にてカテゴリーが指定された場合、アクセス情報提供手段において、指定されたカテゴリーに分類されたアクセス情報が端末に提供される。
【００１５】
このように、アクセス情報管理手段から提供されたソフトウェアを端末にインストールした後に、このソフトウェアを用いて、端末にて指定されたアクセス情報が、アクセス情報管理手段にて予め決められたカテゴリーのブックマークフォルダに分類されて登録され、さらに、端末に登録されたアクセス情報が、アクセス情報管理手段にて収集され、ブックマークフォルダによって特定されるカテゴリーに分類して登録、管理されるので、手間をかけずに多くのアクセス情報を収集し、かつ、それらを適切なカテゴリーに分類して管理することができる。
【００１６】
また、アクセス情報登録手段において、アクセス情報の登録数及びその登録のタイミングを管理しておき、同一のアクセス情報の登録数が所定の数を超えた場合に、登録のタイミングに基づいて、識別情報によって識別されるソフトウェアの提供先に特典を付与すれば、端末の利用者が、アクセス情報管理手段から特典を得るために、有益なアクセス情報をできるだけ早く登録しようとすることになる。
【発明の効果】
【００１７】
以上説明したように本発明においては、アクセス情報管理手段から提供されたソフトウェアを端末にインストールした後に、このソフトウェアを用いて、端末にて指定されたアクセス情報が、アクセス情報管理手段にて予め決められたカテゴリーのブックマークフォルダに分類されて登録され、さらに、端末に登録されたアクセス情報が、アクセス情報管理手段に収集され、ブックマークフォルダによって特定されるカテゴリーに分類して登録、管理される構成としたため、手間をかけずに多くのアクセス情報を収集し、かつ、それらを適切なカテゴリーに分類して管理することができる。
【００１８】
また、アクセス情報登録手段において、アクセス情報の登録数及びその登録のタイミングを管理しておき、同一のアクセス情報の登録数が所定の数を超えた場合に、登録のタイミングに基づいて、識別情報によって識別されるソフトウェアの提供先に特典を付与する構成としたものにおいては、端末の利用者が、アクセス情報管理手段から特典を得るために、有益なアクセス情報をできるだけ早く登録しようとすることになり、アクセス情報管理手段においては、有益なアクセス情報を迅速に収集することができる。
【発明を実施するための最良の形態】
【００１９】
以下に、本発明の実施の形態について図面を参照して説明する。
【００２０】
図１は、本発明のアクセス情報管理システムの実施の一形態を示す図である。
【００２１】
本形態は図１に示すように、インターネット５０に接続可能な端末１０−１〜１０−ｎと、予め決められたアクセス情報となるＵＲＬによってインターネット５０を介してアクセス可能に構成され、アクセス元となる端末に対してインターネット５０を介してコンテンツとなるＷｅｂページを提供する情報提供サーバ２０−１〜２０−Ｎと、端末１０−１〜１０−ｎにてカテゴリーに分類された情報提供サーバ２０−１〜２０−ｎのＵＲＬを収集し、収集したＵＲＬをカテゴリーに分類してアクセス情報データベース４２に登録、管理するアクセス情報管理サーバ３０とから構成されている。また、アクセス情報管理サーバ３０は、端末１０−１〜１０−ｎに対して、識別情報となるピアＩＤを生成するとともに、予め決められたカテゴリーのブックマークフォルダを作成するためのソフトウェアを提供するソフトウェア提供部３１と、ソフトウェア提供部３１から提供されたソフトウェアを用いて作成されたブックマークフォルダに登録されたＵＲＬをピアＩＤとともに収集するアクセス情報収集部３２と、アクセス情報収集部３２にて収集されたＵＲＬを、ブックマークフォルダによって特定されるカテゴリーに分類し、ピアＩＤと対応づけてアクセス情報データベース４２に登録、管理するアクセス情報登録部３３と、端末１０−１〜１０−ｎにてカテゴリーが指定された場合に、アクセス情報データベース４２から指定されたカテゴリーに分類されたＵＲＬを抽出し、抽出したＵＲＬを端末１０−１〜１０−ｎに提供するアクセス情報提供部３４とから構成されており、さらに、アクセス情報登録部３３においては、ＵＲＬのアクセス情報データベース４２への登録数及びその登録のタイミングを管理しておき、同一のＵＲＬの登録数が所定の数を超えた場合に、ＵＲＬのアクセス情報データベース４２への登録のタイミングに基づいて、顧客情報データベース４１を参照し、ピアＩＤによって識別されるソフトウェアの提供先に特典を付与する。
【００２２】
以下に、上記のように構成されたアクセス情報管理システムにおけるアクセス情報の利用方法について説明する。
【００２３】
まず、図１に示したアクセス情報管理サーバ３０から提供されるソフトウェアを用いて情報提供サーバ２０−１〜２０−ＮのＵＲＬを端末１０−１〜１０−ｎに登録する際の処理について、アクセス情報管理サーバ３０から提供されるソフトウェアを用いて情報提供サーバ２０−１のＵＲＬを端末１０−１に登録する際の処理を例に挙げて説明する。
【００２４】
図２は、図１に示したアクセス情報管理システムにおいてアクセス情報管理サーバ３０から提供されるソフトウェアを用いて情報提供サーバ２０−１のＵＲＬを端末１０−１に登録する際の処理を説明するためのフローチャートである。
【００２５】
端末１０−１の利用者が、情報提供サーバ２０−１〜２０−Ｎに対するアクセス情報をアクセス情報管理サーバ３０に登録するためのソフトウェアをダウンロードするためのサイトにアクセスすると（ステップＳ１）、アクセス情報管理サーバ３０のソフトウェア提供部３１から、インターネット５０を介して情報提供サーバ２０−１〜２０−Ｎに対するアクセス情報をアクセス情報管理サーバ３０に登録するためのソフトウェアが送信される（ステップＳ２）。
【００２６】
アクセス情報管理サーバ３０から送信されたソフトウェアが端末１０−１にて受信され、端末１０−１における操作によってインストールされると（ステップＳ３）、インストールされたソフトウェアに対応するピアＩＤが生成されて端末１０−１とアクセス情報管理サーバ３０とがピアツーピア接続されるとともに（ステップＳ４）、アクセス情報管理サーバ３０にて予め決められたカテゴリーのフォルダを端末１０−１のブックマークに登録するための画面が端末１０−１に表示される（ステップＳ５）。なお、ピアＩＤの生成においては、端末１０−１にインストールされたソフトウェアによって既存の技術を用いて行われる。
【００２７】
図３は、図１に示した端末１０−１〜１０−ｎに表示される、アクセス情報管理サーバ３０にて予め決められたカテゴリーのフォルダを端末１０−１〜１０−ｎのブックマークに登録するための画面の一例を示す図である。
【００２８】
図３に示すように、アクセス情報管理サーバ３０から送信されたソフトウェアが端末１０−１にインストールされると、それぞれにチェックボックス１が設けられ、このチェックボックス１によって指定可能に構成された複数のカテゴリー名からなるカテゴリー群２と、チェックボックス１によって指定したカテゴリー名のフォルダを端末１０−１のブックマークに登録するための登録ボタン３とが掲載されたカテゴリー指定画面が端末１０−１に表示される。なお、このカテゴリー群２を構成する複数のカテゴリー名は、アクセス情報管理サーバ３０にて予め決められたカテゴリーを示すものであり、このカテゴリー名の中から、端末１０−１にてチェックボックス１を用いて指定されたカテゴリー名のフォルダが端末１０−１のブックマークに登録されることになる。
【００２９】
端末１０−１のユーザが、図３に示したような画面上にて、所望のカテゴリー名のチェックボックス１にチェックをして登録ボタン３を押下すると、チェックボタン１を用いて指定されたカテゴリー名のフォルダが、端末１０−１のブックマークに登録される（ステップＳ６）。
【００３０】
図４は、図１に示したアクセス情報管理サーバ３０にて決められたカテゴリー名のフォルダが登録されたブックマークを示す図である。
【００３１】
図４に示すように、図３に示したカテゴリー指定画面上にて指定されたフォルダが端末１０−１のブックマークに登録された後に、端末１０−１にてブラウザを起動させてブックマークを表示させると、端末１０−１のユーザが任意に登録したフォルダ５の他に、ステップＳ６にて登録されたフォルダ４が表示されることになる。
【００３２】
その後、端末１０−１において、ブラウザを起動させて情報提供サーバ２０−１のＷｅｂページにアクセスし、情報提供サーバ２０−１のＷｅｂページを端末１０−１に表示させて閲覧した後に（ステップＳ７）、端末１０−１に表示されているＷｅｂページのＵＲＬを、ステップＳ６にて登録されたフォルダに登録する場合（ステップＳ８）、図４に示すようにブックマークを表示させ、ステップＳ６にて登録されたフォルダのうち所望のフォルダを指定することにより、端末１０−１に表示されているＷｅｂページのＵＲＬが指定されたフォルダにブックマークとして登録される（ステップＳ９）。
【００３３】
なお、本形態においては、情報提供サーバ２０−１〜２０−Ｎに対するアクセス情報をアクセス情報管理サーバ３０に登録するためのソフトウェアを、アクセス情報管理サーバ３０のソフトウェア提供部３１から端末１０−１にダウンロードしているが、情報提供サーバ２０−１〜２０−Ｎに対するアクセス情報をアクセス情報管理サーバ３０に登録するためのソフトウェアがアクセス情報管理サーバ３０のソフトウェア提供部３１から提供され、端末１０−１にインストールされる構成であれば、ソフトウェアの提供方法はダウンロードに限らない。
【００３４】
次に、端末１０−１〜１０−ｎのブックマークに登録されたアクセス情報をアクセス情報管理サーバ３０にて収集、登録する場合の処理について説明する。
【００３５】
図５は、図１に示したアクセス情報管理システムにおいて、端末１０−１〜１０−ｎのブックマークに登録されたアクセス情報をアクセス情報管理サーバ３０にて収集、登録する場合の処理を説明するためのフローチャートである。
【００３６】
アクセス情報管理サーバ３０のアクセス情報収集部３２において、端末１０−１〜１０−ｎのブックマークに登録されたＵＲＬのうち、アクセス情報管理サーバ３０にて予め決められたカテゴリー名のフォルダに登録されたＵＲＬの収集が指定されると（ステップＳ１１）、端末１０−１〜１０−ｎのブックマークに登録されたＵＲＬのうち、アクセス情報管理サーバ３０にて予め決められたカテゴリー名のフォルダに登録されたＵＲＬが端末１０−１〜１０−ｎから送信され（ステップＳ１２）、インターネット５０を介してアクセス情報収集部３２にて受信される（ステップＳ１３）。この際、端末１０−１〜１０−ｎにインストールされたソフトウェアに付与されたピアＩＤについても、ＵＲＬとともに端末１０−１〜１０−ｎから送信され、アクセス情報収集部３２にて受信される。ここで、端末１０−１〜１０−ｎとアクセス情報管理サーバ３０とは、上述したように、ピアツーピア接続されているため、アクセス情報管理サーバ３０のアクセス情報収集部３２においては、端末１０−１〜１０−ｎのブックマークに登録されたＵＲＬのうち、アクセス情報管理サーバ３０にて予め決められたカテゴリー名のフォルダに登録されたＵＲＬの収集が指定されることにより、端末１０−１〜１０−ｎのブックマークに登録されたＵＲＬのうち、アクセス情報管理サーバ３０にて予め決められたカテゴリー名のフォルダに登録されたＵＲＬがインターネット５０を介して収集される。また、アクセス情報管理サーバ３０のアクセス情報収集部３２において端末１０−１〜１０−ｎのブックマークに登録されたＵＲＬの収集を指定するのではなく、端末１０−１〜１０−ｎにおいて、端末１０−１〜１０−ｎのブックマークに登録されたＵＲＬのうち、アクセス情報管理サーバ３０にて予め決められたカテゴリー名のフォルダに登録されたＵＲＬをアクセス情報管理サーバ３０のアクセス情報収集部３２にアクティブに送信することも考えられる。その場合においても、上述したピアツーピア接続するための機能によって、端末１０−１〜１０−ｎから送信されたＵＲＬ及びピアＩＤは、インターネット５０を介してアクセス情報管理サーバ３０のアクセス情報収集部３２にて受信されることになる。このような、アクセス情報収集部３２におけるＵＲＬ及びピアＩＤの収集は定期的に行われる。
【００３７】
端末１０−１〜１０−ｎのブックマークに登録されたＵＲＬのうち、アクセス情報管理サーバ３０にて予め決められたカテゴリー名のフォルダに登録されたＵＲＬが、アクセス情報管理サーバ３０のアクセス情報収集部３２にて収集されると、アクセス情報登録部３３において、アクセス情報データベース４２が参照され、アクセス情報収集部３２にて収集されたＵＲＬが既にアクセス情報データベース４２に登録されているかどうかが確認され（ステップＳ１４）、アクセス情報収集部３２にて収集されたＵＲＬがアクセス情報データベース４２に登録されていない場合は、アクセス情報収集部３２にて収集されたＵＲＬが、このＵＲＬとともに端末１０−１〜１０−ｎから送信されてきたピアＩＤと、端末１０−１〜１０−ｎのブックマークにて分類されたカテゴリーと対応づけられてアクセス情報データベース４２に登録される（ステップＳ１５）。また、その際、ＵＲＬの登録数「１」と、アクセス情報データベース４２への登録のタイミングとが、ＵＲＬと対応づけて記録される（ステップＳ１６）。
【００３８】
また、アクセス情報収集部３２にて収集されたＵＲＬがアクセス情報データベース４２に登録されている場合は、アクセス情報登録部３３において、アクセス情報収集部３２にてＵＲＬとともに収集されたピアＩＤが、アクセス情報データベース４２にて、アクセス情報収集部３２にて収集されたＵＲＬと対応づけて登録されているかどうかが確認され（ステップＳ１７）、アクセス情報収集部３２にてＵＲＬとともに収集されたピアＩＤが、アクセス情報データベース４２にて、アクセス情報収集部３２にて収集されたＵＲＬと対応づけて登録されていない場合は、そのＵＲＬの登録数を「＋１」するとともに、その登録のタイミングとアクセス情報収集部３２にてＵＲＬとともに収集されたピアＩＤとが対応づけて記録される。
【００３９】
また、アクセス情報収集部３２にてＵＲＬとともに収集されたピアＩＤが、アクセス情報データベース４２にて、アクセス情報収集部３２にて収集されたＵＲＬと対応づけて登録されている場合は、同一のユーザによって同一のＵＲＬが登録されたとして、アクセス情報データベース４２への登録は行われない（ステップＳ１８）。
【００４０】
上述した処理によって、端末１０−１〜１０−ｎにてアクセスが行われた情報提供サーバ２０−１〜２０−Ｎのアクセス情報が、アクセス情報管理サーバ３０にてアクセス情報データベース４２に登録、管理されることになるが、有益なアクセス情報を収集するために、アクセス情報データベース４２に対するアクセス情報の登録数及び登録のタイミングに基づいて、そのアクセス情報を登録した端末１０−１〜１０−ｎの利用者に特典を付与することも考えられる。
【００４１】
上述したように、アクセス情報データベース４２には、ＵＲＬとともにＵＲＬの登録数及びその登録のタイミングが記録されているため、アクセス情報登録部３３において、アクセス情報データベース４２にて、同一のＵＲＬの登録数が所定の数を超えた場合に、そのＵＲＬの登録のタイミングに基づいて、登録のタイミングが早い順に所定の数の利用者に対して特典が付与される。ここで、アクセス情報データベース４２には、ＵＲＬの提供元の端末に提供されたソフトウェアに対応づけて付与されたピアＩＤが、提供されたＵＲＬと対応づけて登録されており、また、顧客情報データベース４１には、端末１０−１〜１０−ｎの電子メールアドレスや、端末１０−１〜１０−ｎの利用者の氏名や住所、年齢等の属性情報が、ピアＩＤと対応づけて登録されているため、アクセス情報登録部３３においては、まず、アクセス情報データベース４２が参照され、上記条件を満たすＵＲＬに対応づけられたピアＩＤが抽出され、次に、顧客情報データベース４１が参照され、アクセス情報データベース４２から抽出されたピアＩＤに対応づけられた顧客の属性情報が抽出され、この属性情報を用いて特典が付与されることになる。例えば、アクセス情報登録部３３において、顧客情報データベース４１に登録された電子メールアドレスを宛先としてクーポン情報が掲載された電子メールを送信すること等が考えられる。
【００４２】
これにより、端末１０−１〜１０−ｎの利用者は、アクセス情報管理サーバ３０から特典を得るために、有益なアクセス情報をできるだけ早く登録しようとすることになり、アクセス情報管理サーバ３０においては、有益なアクセス情報を迅速に収集することができる。
【００４３】
また、アクセス情報登録部３３においては、アクセス情報データベース４２に登録されたアクセス情報のうち、登録数が少ないものを定期的に削除することも考えられる。これにより、例えば、端末１０−１〜１０−ｎにて、アクセス情報をカテゴリーに分類する際に不適切なカテゴリーに分類してしまったアクセス情報を削除することができる。
【００４４】
次に、アクセス情報登録部３３にてアクセス情報データベース４２に登録、管理されているアクセス情報を用いて情報提供サーバ２０−１〜２０−ＮのＷｅｂページにアクセスする場合の処理について説明する。
【００４５】
図６は、図１に示したアクセス情報登録部３３にてアクセス情報データベース４２に登録、管理されているアクセス情報を用いて情報提供サーバ２０−１〜２０−ＮのＷｅｂページにアクセスする場合の処理を説明するためのフローチャートである。
【００４６】
端末１０−１において、アクセス情報管理サーバ３０のアクセス情報登録部３３にてアクセス情報データベース４２に登録、管理されているアクセス情報を用いて情報提供サーバ２０−１〜２０−ＮのＷｅｂページにアクセスする場合、アクセス情報管理サーバ３０の検索サイトにアクセスすると（ステップＳ２１）、アクセス情報管理サーバ３０のアクセス情報提供部３４から、カテゴリーを指定するためのカテゴリー指定画面が送信される（ステップＳ２２）。
【００４７】
アクセス情報管理サーバ３０のアクセス情報提供部３４から送信されたカテゴリー指定画面は、インターネット５０を介して端末１０−１にて受信、表示される（ステップＳ２３）。
【００４８】
図７は、図１に示したアクセス情報管理サーバ３０から端末１０−１〜１０−ｎに送信されるカテゴリー指定画面の一例を示す図である。
【００４９】
図７に示すように、アクセス情報管理サーバ３０から端末１０−１〜１０−ｎに送信され、端末１０−１〜１０−ｎにて受信、表示されるカテゴリー指定画面においては、それぞれにラジオボタン６が設けられ、このラジオボタン６によって選択可能に構成された複数のカテゴリー名からなるカテゴリー群７と、ラジオボタン６によって選択したカテゴリーに分類されたアクセス情報を検索するための検索ボタン８とが掲載されている。なお、このカテゴリー指定画面に掲載されるカテゴリー群７は、アクセス情報管理サーバ３０にて予め決められたカテゴリー名から構成されるものであって、図３に示したカテゴリー指定画面に掲載されたカテゴリー群２と同一のカテゴリー名から構成されている。
【００５０】
図７に示したようなカテゴリー指定画面が端末１０−１に表示された後、端末１０−１にてラジオボタン６を用いてカテゴリーが選択され、検索ボタン８が押下されると（ステップＳ２４）、アクセス情報管理サーバ３０のアクセス情報登録部３３において、アクセス情報データベース４２が参照され、ステップＳ２４にて選択されたカテゴリーに分類されたＵＲＬが検索され（ステップＳ２５）、アクセス情報提供部３４において、アクセス情報登録部３３にて検索されたＵＲＬが掲載されたＵＲＬ掲載画面が作成され、送信される（ステップＳ２６）。
【００５１】
アクセス情報管理サーバ３０のアクセス情報提供部３４から送信されたＵＲＬ掲載画面は、インターネット５０を介して端末１０−１にて受信され、表示される（ステップＳ２７）。
【００５２】
図８は、図１に示したアクセス情報管理サーバ３０から送信され、端末１０−１にて受信、表示されるＵＲＬ掲載画面の一例を示す図である。
【００５３】
図８に示すように、図１に示したアクセス情報管理サーバ３０から送信され、端末１０−１にて受信、表示されるＵＲＬ掲載画面においては、ステップＳ２４にて選択されたカテゴリーに分類されたＵＲＬが、その登録数に基づいた順序で掲載されている。これにより、図７に示したような検索サイトにて所望のカテゴリーを選択することによりＵＲＬの検索を行った利用者は、ＵＲＬの掲載順序を参照して、そのＵＲＬについてどれだけの利用者が登録したかを相対的に判断することができる。
【００５４】
なお、本形態においては、情報提供サーバ２０−１〜２０−ＮのＷｅｂページのアクセス情報として、情報提供サーバ２０−１〜２０−ＮのＷｅｂページのＵＲＬのみを登録、提供する場合を例に挙げて説明したが、情報提供サーバ２０−１〜２０−ＮのＷｅｂページの名称についてもＵＲＬとともに登録、提供する構成とすることも考えられる。
【図面の簡単な説明】
【００５５】
【図１】本発明のアクセス情報管理システムの実施の一形態を示す図である。
【図２】図１に示したアクセス情報管理システムにおいてアクセス情報管理サーバから提供されるソフトウェアを用いて情報提供サーバのＵＲＬを端末に登録する際の処理を説明するためのフローチャートである。
【図３】図１に示した端末に表示される、アクセス情報管理サーバにて予め決められたカテゴリーのフォルダを端末のブックマークに登録するための画面の一例を示す図である。
【図４】図１に示したアクセス情報管理サーバにて決められたカテゴリー名のフォルダが登録されたブックマークを示す図である。
【図５】図１に示したアクセス情報管理システムにおいて、端末のブックマークに登録されたアクセス情報をアクセス情報管理サーバにて収集、登録する場合の処理を説明するためのフローチャートである。
【図６】図１に示したアクセス情報登録部にてアクセス情報データベースに登録、管理されているアクセス情報を用いて情報提供サーバのＷｅｂページにアクセスする場合の処理を説明するためのフローチャートである。
【図７】図１に示したアクセス情報管理サーバから端末に送信されるカテゴリー指定画面の一例を示す図である。
【図８】図１に示したアクセス情報管理サーバから送信され、端末にて受信、表示されるＵＲＬ掲載画面の一例を示す図である。
【符号の説明】
【００５６】
１    チェックボックス
２，７    カテゴリー群
３    登録ボタン
４，５    フォルダ
６    ラジオボタン
８    検索ボタン
１０−１〜１０−ｎ    端末
２０−１〜２０−Ｎ    情報提供サーバ
３０    アクセス情報管理サーバ
３１    ソフトウェア提供部
３２    アクセス情報収集部
３３    アクセス情報登録部
３４    アクセス情報提供部
４１    顧客情報データベース
４２    アクセス情報データベース
５０    インターネット
【図１】
2005107905.tif 000003
【図２】
2005107905.tif 000004
【図３】
2005107905.tif 000005
【図４】
2005107905.tif 000006
【図５】
2005107905.tif 000007
【図６】
2005107905.tif 000008
【図７】
2005107905.tif 000009
【図８】
2005107905.tif 000010